(57)【要約】【課題】スタンドを筐体に固定する際のネジ止めを容易に行うことができる表示装置及び表示装置用スタンドを提供する。【解決手段】スタンドが備える中空の支柱４２にネジ５２を挿入し、表示パネルを収納する筐体にネジ止めしてある表示装置において、支柱４２の中空部分に、ネジ５２が挿入されるネジガイド５４を備える。ネジガイド５４は、支柱４２の先端の先端カバー４６と一体的に構成されている。先端カバー４６の表面には、複数の突起４８が非点対称に配置されている。【選択図】図６
2007156176.tif 000002
【特許請求の範囲】
【請求項１】
スタンドが備える中空の支柱にネジを挿入し、表示パネルを収納する筐体に前記支柱をネジ止めしてある表示装置において、
前記支柱の中空部分に、ネジの挿入を案内するネジ案内部を備えることを特徴とする表示装置。
【請求項２】
前記支柱の先端に、前記ネジ案内部と一体的に構成され、前記先端を覆う先端カバーを備えることを特徴とする請求項１記載の表示装置。
【請求項３】
前記先端カバーの表面の前記支柱の中心軸に対応する位置以外に、１つの突起が配置されていることを特徴とする請求項２記載の表示装置。
【請求項４】
前記先端カバーの表面に、前記支柱の中心軸に関して非対称に複数の突起が配置されていることを特徴とする請求項２記載の表示装置。
【請求項５】
前記筐体には前記スタンドの支柱が挿入される支柱挿入部が設けられており、
該支柱挿入部には、前記突起が挿入される突起挿入部が設けられていることを特徴とする請求項３又は４記載の表示装置。
【請求項６】
表示パネルを収納する筐体にネジ止めされる中空の支柱を備える表示装置用スタンドにおいて、
前記支柱の中空部分にネジの挿入を案内するネジ案内部を備えることを特徴とする表示装置用スタンド。
【発明の詳細な説明】
【技術分野】
【０００１】
本発明は、スタンドが備える中空の支柱にネジを挿入し、表示パネルを収納する筐体に前記支柱をネジ止めしてある表示装置、及び、表示パネルを収納する筐体にネジ止めされる中空の支柱を備える表示装置用スタンドに関する。
【背景技術】
【０００２】
近年、ブラウン管を用いた表示装置に代わって、液晶パネルなどを用いた薄型表示装置が用いられている。薄型表示装置はブラウン管と比較して小型・軽量という特長を有する。液晶パネルを収納する筐体は直方体形状であるため、箱に梱包する場合は無駄なスペースが生じず、効率的に梱包できると考えられる。しかし、筐体にはスタンドが取付けられており、奥行きなどは、スタンドの方が広い場合が多い。また、液晶表示装置は、スタンドで支持する以外に、壁などに掛ける場合もある。
【０００３】
そのため、液晶パネルを収容する筐体にスタンド兼連結部を設け、スタンドの支柱に挿入孔を設け、スタンド兼連結部を挿入孔に挿入することで、スタンドの取付け及び取外しを容易に行うことができる薄型表示装置が提案されている（例えば、特許文献１参照）。
【特許文献１】特開２００５−１１５４０３号公報
【発明の開示】
【発明が解決しようとする課題】
【０００４】
特許文献１では、スタンドから取外した状態であっても、スタンド兼連結部をスタンドのように使用することができるが、スタンド兼連結部を取付けた分、奥行きなどが増加するという問題がある。また、スタンド兼連結部は筐体に取付けられているため、表示パネルを立てた状態で筐体を前面筐体と背面筐体とに分離することができず、製造時の作業性が低いという問題がある。
【０００５】
そのため、筐体に挿入部を設け、挿入部にスタンドの中空の支柱を挿入してネジ止めすることも考えられる。図７は、筐体の挿入部にスタンドの支柱を挿入してネジ止めした状態を示すネジ止め部分の要部断面図である。スタンドの支柱４２が筐体の挿入部に挿入されており、筐体の背面（背面筐体）１２のネジ窓１６からネジ５２を挿入し、支柱４２の貫通孔を貫通させ、ネジ孔５６に螺合させている。また、支柱４２の先端には、筐体を傷付けないように、保護用の先端カバー４７が取付けられている。
【０００６】
しかし、ネジ５２をネジ窓１６から挿入する場合、ネジ孔５６の位置は、筐体内部にあるので外部から確認できず、ネジ５２の先端をネジ孔５６に合わせるのが困難という問題がある。
【０００７】
本発明は斯かる事情に鑑みてなされたものであり、ネジの挿入を案内するネジ案内部を支柱の中空部分に備えることにより、スタンドを筐体に固定する際のネジ止めを容易に行うことができる表示装置及び表示装置用スタンドを提供することを目的とする。
【０００８】
また、本発明は、前記支柱の先端に、前記ネジ案内部と一体的に構成され、前記先端を覆う先端カバーを備えることにより、先端カバーを取付けると同時にネジ案内部も取付けることができる表示装置を提供することを他の目的とする。
【０００９】
また、本発明は、前記先端カバーの表面の前記支柱の中心軸に対応する位置以外に１つの突起を配置、又は、前記先端カバーの表面に前記支柱の中心軸に関して非対称に複数の突起を配置したことにより、スタンドの前後を容易に区別することができる表示装置を提供することを他の目的とする。
【００１０】
また、本発明は、前記筐体に前記スタンドの支柱が挿入される支柱挿入部を設け、前記支柱挿入部に前記突起が挿入される突起挿入部を設けたことにより、スタンドの前後を正しく取付けることができる表示装置を提供することを他の目的とする。
【課題を解決するための手段】
【００１１】
本発明に係る表示装置は、スタンドが備える中空の支柱にネジを挿入し、表示パネルを収納する筐体に前記支柱をネジ止めしてある表示装置において、前記支柱の中空部分に、ネジの挿入を案内するネジ案内部を備えることを特徴とする。
【００１２】
本発明に係る表示装置は、前記支柱の先端に、前記ネジ案内部と一体的に構成され、前記先端を覆う先端カバーを備えることを特徴とする。
【００１３】
本発明に係る表示装置は、前記先端カバーの表面の前記支柱の中心軸に対応する位置以外に、１つの突起が配置されていることを特徴とする。
【００１４】
本発明に係る表示装置は、前記先端カバーの表面に、前記支柱の中心軸に関して非対称に複数の突起が配置されていることを特徴とする。
【００１５】
本発明に係る表示装置は、前記筐体には前記スタンドの支柱が挿入される支柱挿入部が設けられており、該支柱挿入部には、前記突起が挿入される突起挿入部が設けられていることを特徴とする。
【００１６】
本発明に係る表示装置用スタンドは、表示パネルを収納する筐体にネジ止めされる中空の支柱を備える表示装置用スタンドにおいて、前記支柱の中空部分にネジの挿入を案内するネジ案内部を備えることを特徴とする。
【００１７】
本発明においては、ネジの挿入を案内するネジ案内部を支柱の中空部分に備えるため、支柱に挿入されたネジの先端をネジ案内部によってネジ孔に正しくガイドすることができる。スタンドを筐体に固定する際のネジ止めを容易に行うことができ、作業性が向上する。
【００１８】
本発明においては、前記支柱の先端に、前記ネジ案内部と一体的に構成され、前記先端を覆う先端カバーを備えるため、支柱を筐体に取付ける際に支柱の先端部が筐体を傷付けるのを防止できると共に、先端カバーを取付けると同時にネジ案内部も取付けることができ、生産性が向上する。
【００１９】
本発明においては、前記先端カバーの表面の前記支柱の中心軸に対応する位置以外に１つの突起を配置、又は、前記先端カバーの表面に前記支柱の中心軸に関して非対称に複数の突起を配置しているため、前記突起によって、スタンドの前後（表示画面側と背面側）を容易に区別することができる。
【００２０】
本発明においては、前記筐体に前記スタンドの支柱が挿入される支柱挿入部を設け、前記支柱挿入部に前記突起が挿入される突起挿入部を設けているため、スタンドの前後を逆にして支柱を挿入した場合は前記突起が前記突起挿入部に挿入できず、ユーザに間違いを気付かせることができ、スタンドの前後の取付け間違いを防止することができる。
【発明の効果】
【００２１】
本発明によれば、スタンドを筐体に固定する際のネジ止めを容易に行うことができ、作業性が向上する。
【００２２】
本発明によれば、先端カバーを取付けると同時にネジ案内部も取付けることができ、生産性が向上する。
【００２３】
本発明によれば、スタンドの前後を容易に区別することができる。
【００２４】
本発明によれば、スタンドの前後の取付け間違いを防止することができる。
【発明を実施するための最良の形態】
【００２５】
以下、本発明をその実施の形態を示す図面に基づいて具体的に説明する。
図１及び図２は本発明に係る表示装置の背面側の斜視図であり、図３は表示装置の分解斜視図である。液晶パネル（表示パネル）を収容する筐体１０は、図３に示すように、表示画面側の前面筐体２２と背面筐体１２とに分離することが可能である。また、図１及び図２に示すように、スタンド（表示装置用スタンド）４０は筐体１０に取付け及び取外し可能である。
【００２６】
スタンド４０は、スタンド台と該スタンド台と垂直な中空の支柱４２とを備え、支柱４２にはネジが貫通される貫通孔４４が４組設けられている。また、筐体１０は、スタンド４０の支柱４２が挿入される挿入部（支柱挿入部）２０を備え、背面筐体１２の挿入部２０付近には、支柱４２の貫通孔４４に対応する位置に、ネジが貫通されるネジ窓１６が４つ設けられている。また、挿入部２０の前面筐体２２側には、背面筐体１２のネジ窓１６に対応する位置に、ネジが螺合されるネジ孔が設けられている。
【００２７】
スタンド４０の支柱４２を筐体１０の挿入部２０に挿入し、ネジをネジ窓１６及び貫通孔４４に挿入してネジ締めすることにより、スタンド４０を筐体１０に固定することができる。また、ネジを外し、支柱４２を挿入部２０から抜くことにより、スタンド４０を筐体１０から取外すことができる。なお、背面筐体１２には、筐体１０を壁などに掛けるための凹部１４が設けられている。
【００２８】
挿入部２０は、コ字形部材２８とカバー２４とを備える。コ字形部材２８は前面筐体２２に固定されているアーム２６に固定されている。図４は挿入部付近の拡大斜視図である。コ字形部材２８は平板をコ字形に折り曲げた形状をしており、長方形状の底と該底を挟んで対向する長方形状の側板とを有する。コ字形部材２８の側板の一方を前面筐体２２のアーム２６に固定し、平面部を有するカバー２４をコ字形部材２８の側板間に挿入して前面筐体２２にネジ止めなどで固定している。カバー２４の平面部はコ字形部材２８の側板と平行である。
【００２９】
カバー２４の平面部と、コ字形部材２８の底及び他方の側板によって挿入部２０を構成している。また、背面筐体１２には、挿入部２０用の開口が設けられている。そして、コ字形部材２８の両側板及びカバー２４の平面部には、支柱４２の貫通孔４４に対応する貫通孔３０，３２が設けられている。また、コ字形部材２８の下側（前面筐体２２側）には、貫通孔３０に対応する位置にネジが螺合されるネジ孔が設けられている。
【００３０】
図５はスタンドの例を示す斜視図である。スタンド４０の支柱４２の先端の開口部には、先端カバー４６が取付けてある。先端カバー４６には、支柱４２の中心軸に対して非対称に３つの突起４８が設けられている。また、コ字形部材２８の底には、先端カバー４６の突起４８に対応する突起挿入孔（突起挿入部）５０が設けられている。図の例では、表示画面側に２つの突起及び突起挿入孔が設けられ、背面側に１つの突起及び突起挿入孔が設けられている。
【００３１】
また、支柱４２の中空部には、４組の各貫通孔４４間にネジガイド（ネジ案内部）が設けられている。図６は筐体１０にスタンド４０を取付けた状態の挿入部周辺の断面図である。ネジガイド５４は例えば円筒状であり、先端カバー４６と一体化されている。よって、先端カバー４６を支柱４２の先端に取付けると同時に、ネジガイド５４を各組の貫通孔４４間に設けることができる。図５に示すように、突起４８が突起挿入孔５０に挿入された状態で、支柱４２の貫通孔４４とコ字形部材２８の貫通孔３０、背面筐体１２のネジ窓１６、及びネジ孔５６などとの位置が合うように構成されている。
【００３２】
スタンド４０を筐体１０に取付ける場合は、スタンド４０の支柱４２を筐体１０の挿入部２０に挿入し、支柱４２の貫通孔４４と背面筐体１２のネジ窓１６との位置を合わせてネジを挿入し、ネジを締めて固定する。ただし、スタンド４０の前後を逆にして挿入部２０に支柱４２を挿入した場合は、先端カバー４６の突起４８がコ字形部材２８の突起挿入孔５０に挿入できず、支柱４２の貫通孔４４と背面筐体１２のネジ窓１６との位置は合わず、ネジ止めは行えない。そのため、スタンド４０の前後を逆に取付けることを防止できる。また、支柱４２を挿入部２０に挿入する場合、先端カバー４６によって筐体１０に傷が付くのを防止できる。
【００３３】
また、ネジの先端は、コ字形部材２８の貫通孔３０、支柱４２の貫通孔４４及びカバー２４の貫通孔３２を通過し、前面筐体２２のネジ孔５６に螺合される。その際、ネジガイド５４により、ネジはスムーズにネジ孔５６にガイドされ、容易にネジ止めを行うことができる。なお、背面筐体１２のネジ窓１６はネジの頭部よりも大きく、ネジの頭部はコ字形部材２８と接触しているため、スタンド４０を前面筐体２２に取付けた状態で、背面筐体１２を取外すことができる。スタンド４０を筐体１０から取外す場合は、背面筐体１２のネジ窓１６からネジを取外し、スタンド４０の支柱４２を筐体１０の挿入部２０から抜取る。
【００３４】
上述した実施の形態においては、スタンド４０の支柱４２の先端カバー４６に３つの突起４８を設け、コ字形部材２８の底に３つの突起挿入孔を設けたが、例えば背面側の１つの突起及び突起挿入孔のみを設けることも可能である。また、突起及び突起挿入孔は３個に限定はされず、任意数設けることが可能である。また、その形状は任意である。また、突起及び突起挿入孔を設ける位置は、スタンドを逆向きに取付けるのを防止できればよく、１つの突起及び突起挿入孔を設ける場合は支柱の中心軸に対応する位置以外に設ければよく、複数の突起を設ける場合は支柱の中心軸に関して非対称に設ければよい。なお、スタンドの逆差しを防止するだけなら、突起を支柱と一体的に設けることも可能である。
【図面の簡単な説明】
【００３５】
【図１】本発明に係る表示装置の背面側の斜視図である。
【図２】本発明に係る表示装置の背面側の斜視図である。
【図３】表示装置の分解斜視図である。
【図４】挿入部付近の拡大斜視図である。
【図５】スタンドの例を示す斜視図である。
【図６】筐体にスタンドを取付けた状態の挿入部周辺の断面図である。
【図７】筐体の挿入部にスタンドの支柱を挿入してネジ止めした状態を示す従来のネジ止め部分の要部断面図である。
【符号の説明】
【００３６】
１０  筐体
１２  背面筐体
１４  凹部
１６  ネジ窓
２０  挿入部
２２  前面筐体
２４  カバー
２６  アーム
２８  コ字形部材
３０、３２、４４  貫通孔
４０  スタンド
４２  支柱
４６  先端カバー
４８  突起
５０  突起挿入孔
５４  ネジガイド
【図１】
2007156176.tif 000003
【図２】
2007156176.tif 000004
【図３】
2007156176.tif 000005
【図４】
2007156176.tif 000006
【図５】
2007156176.tif 000007
【図６】
2007156176.tif 000008
【図７】
2007156176.tif 000009